(57)【要約】      （修正有）【課題】商品梱包容器として用いられ、かつ開封後には商品陳列用の陳列棚を有する商品陳列ケースとして用いる陳列兼梱包容器用シート及び陳列兼梱包容器を提供する。【解決手段】陳列兼梱包容器用シート２１は、略方形の背面パネルと、陳列棚構成領域２３と、商品梱包領域２４とを具備し、陳列棚構成領域が、背面パネルの両側端の前側部分から延出する一対の棚側面形成部３１と、一対の棚側面形成部から延出する一対の先端部と、背面パネルの前端から延出する棚底面形成部３３と、棚底面形成部の前端から延出する棚正面形成部３４と、棚正面形成部の前端から延出する折返し部３５とを有し、商品梱包領域が、背面パネルの後端から延出する容器天面形成部４８と、容器天面形成部から外側に延出する一対の容器側面形成部４９と、一対の容器側面形成部の後端から延出する一対の容器正面形成部５０とを有する。【選択図】図２
0003189184.tif 000002
【実用新案登録請求の範囲】
【請求項１】
一枚のシートからなり、直方体状の箱型に組立てられることで商品を梱包する梱包容器として用いられるとともに開封後に商品陳列ケースとして用いられる陳列兼梱包容器用シートであって、
略方形の背面パネルと、陳列時に商品を保持する略有底四角筒状の陳列棚を構成する陳列棚構成領域と、組立時に商品を梱包する商品梱包領域とを具備し、
上記陳列棚構成領域が、
陳列棚の側面部を構成すべく上記背面パネルの両側端の前側部分から外側に延出する一対の棚側面形成部と、
この一対の棚側面形成部から外側に延出する一対の先端部と、
陳列棚の底面部を構成すべく上記背面パネルの前端から前側に延出する棚底面形成部と、
陳列棚の正面部を構成すべく上記棚底面形成部の前端から前側に延出する棚正面形成部と、
組立時に上記棚正面形成部の背面側に折り返されることで棚正面形成部とによって上記一対の先端部を挟持するよう棚正面形成部の前端から前側に延出する折返し部と
を有し、
上記商品梱包領域が、
梱包容器の天面部を構成すべく上記背面パネルの後端から後側に延出する容器天面形成部と、
梱包容器の側面部を構成すべく上記容器天面形成部から外側に延出する一対の容器側面形成部と、
梱包容器の正面部を構成すべく上記一対の容器側面形成部の後端から後方に延出する一対の容器正面形成部と
を有する陳列兼梱包容器用シート。
【請求項２】
上記陳列棚構成領域が、
陳列棚組立状態で上記棚底面形成部の内側に重設されるよう上記一対の棚側面形成部の前端から前側に延出する一対の延出部と、
陳列棚組立状態で上記一対の棚側面形成部と対向する位置に折り曲げられるよう上記一対の延出部の前端から前側に延出する一対の仕切部とを有する請求項１に記載の陳列兼梱包容器用シート。
【請求項３】
上記商品梱包領域が、梱包容器組立状態で上記一対の容器側面形成部と対向する位置に折り曲げられるよう上記一対の容器正面形成部の後端の内側部分から後側に延出する一対の支持部を有し、
上記一対の支持部の前後方向長さが、上記棚底面形成部、容器天面形成部及び一対の容器側面形成部の前後方向長さと略等しく、
上記一対の容器正面形成部の上記支持部が延出されていない外側部分の左右方向長さが、上記棚正面形成部の前後方向長さ以上である請求項１又は請求項２に記載の陳列兼梱包容器用シート。
【請求項４】
陳列時に商品の背面側に位置する内装領域をさらに備え、
上記内装領域が、梱包容器組立状態で上記容器天面形成部の内側に折り曲げられるよう上記容器天面形成部の後端側から後側に延出する折込み部を有し、
この折込み部が、両側端から内側に向けて形成される一対の凹溝を有し、
この一対の凹溝が、底方向に向かって後側から前側に傾斜した傾斜部を有する請求項１、請求項２又は請求項３に記載の陳列兼梱包容器用シート。
【請求項５】
請求項１から請求項４のいずれか１項に記載の陳列兼梱包容器用シートを組立ててなる陳列兼梱包容器。
【考案の詳細な説明】
【技術分野】
【０００１】
本考案は、陳列兼梱包容器用シート及び陳列兼梱包容器に関する。
【背景技術】
【０００２】
従来、商品を保管、運搬等するために、段ボール等から組立てられる直方体状の梱包容器が用いられている。また、このような梱包容器としては、店舗等で側板上部や天板が取り除かれて、商品陳列ケースとして転用されるものも存在している。
【０００３】
しかしながら、梱包容器の側板上部や天板を取り除いて形成される商品陳列ケースは、棚等の陳列部材に比べて雑な印象を与えやすい。それゆえ、かかる梱包容器から形成される商品陳列ケースに収容された商品は、他の陳列部材に収容された商品に比べて顧客の購買意欲を喚起しにくい場合がある。
【０００４】
このような不都合を解決するため、今日では、商品の梱包容器として用いられるとともに、商品陳列ケースとしても一定の外観を有する陳列兼梱包容器も発案されている。このような陳列兼梱包容器としては、例えば特開２０１３−１５１２９８号公報所載の「表示板付段ボール箱」が発案されている。
【０００５】
この「表示板付段ボール箱」は、直方体状の梱包容器として用いられるとともに、梱包容器として組み立てられた状態において天壁の前壁側及び一対の側壁側を切り離し、かつこの天壁を中間部から前方に折返したうえ、この折返し部を後壁と容器内に収容された商品とで挟持することによって、天壁が後壁上方に直立された状態に保持された陳列ケースとしても用いることができる。それゆえ、この「表示板付段ボール箱」は、天壁の外面のうち中間部で折り返されたときに前壁側（視認者側）に配設される領域に所定の表示を行っておくことによって、陳列ケースとして用いられた場合でも一定の宣伝広告機能を有する。
【０００６】
しかしながら、この「表示板付段ボール箱」は、商品を梱包するための領域とは別個に商品を陳列するための領域を有するものではなく、あくまでも梱包容器の一部を商品陳列用に転用するに留まるものである。例えば、この「表示板付段ボール箱」は、梱包容器の天壁、前壁及び側壁がそのまま陳列ケースとしても用いられるため、梱包容器からの転用であることが顧客等に容易に理解されてしまううえ、商品の運搬時等に梱包容器の外面に傷や汚れ等が付いた場合、これらの傷や汚れがそのまま視認されることになる。また、この「表示板付段ボール箱」は、天壁の折返し部を後壁と容器内に収容された商品とで挟持することで天壁を直立状態に保つものであるため、容器内の商品が減ると天壁を直立状態に保ち難くなり、却って見栄えが悪くなるおそれが高い。
【先行技術文献】
【特許文献】
【０００７】
【特許文献１】特開２０１３−１５１２９８号公報
【考案の概要】
【考案が解決しようとする課題】
【０００８】
本考案は、このような不都合に鑑みてなされたものであり、商品を梱包する梱包容器として用いられるとともに、開封後には商品陳列用の陳列棚を有する商品陳列ケースとして好適に用いることができる陳列兼梱包容器用シート及び陳列兼梱包容器の提供を目的とするものである。
【課題を解決するための手段】
【０００９】
上記課題を解決するためになされた本考案に係る陳列兼梱包容器用シートは、一枚のシートからなり、直方体状の箱型に組立てられることで商品を梱包する梱包容器として用いられるとともに開封後に商品陳列ケースとして用いられる陳列兼梱包容器用シートであって、略方形の背面パネルと、陳列時に商品を保持する略有底四角筒状の陳列棚を構成する陳列棚構成領域と、組立時に商品を梱包する商品梱包領域とを具備し、上記陳列棚構成領域が、陳列棚の側面部を構成すべく上記背面パネルの両側端の前側部分から外側に延出する一対の棚側面形成部と、この一対の棚側面形成部から外側に延出する一対の先端部と、陳列棚の底面部を構成すべく上記背面パネルの前端から前側に延出する棚底面形成部と、陳列棚の正面部を構成すべく上記棚底面形成部の前端から前側に延出する棚正面形成部と、組立時に上記棚正面形成部の背面側に折り返されることで棚正面形成部とによって上記一対の先端部を挟持するよう棚正面形成部の前端から前側に延出する折返し部とを有し、上記商品梱包領域が、梱包容器の天面部を構成すべく上記背面パネルの後端から後側に延出する容器天面形成部と、梱包容器の側面部を構成すべく上記容器天面形成部から外側に延出する一対の容器側面形成部と、梱包容器の正面部を構成すべく上記一対の容器側面形成部の後端から後方に延出する一対の容器正面形成部とを有する。
【００１０】
当該陳列兼梱包容器用シートは、略方形の背面パネルと、陳列時に商品を保持する略有底四角筒状の陳列棚を構成する陳列棚構成領域とを具備し、この陳列棚構成領域が、陳列棚の側面部を構成する一対の棚側面形成部と、陳列棚の底面部を構成する棚底面形成部と、陳列棚の正面部を構成する棚正面形成部とを有し、棚正面形成部の前端から前側に延出する折返し部を棚正面形成部の背面側に折り返し、上記一対の棚側面形成部から外側に延出する一対の先端部を挟持することによって陳列棚を構成することができる。また、当該陳列兼梱包容器用シートは、略方形の背面パネルと、組立時に商品を梱包する商品梱包領域とを有し、この商品梱包領域が、容器天面形成部と、一対の容器側面形成部と、一対の容器正面形成部とを有するので、上記容器天面形成部によって天面部が構成され、上記一対の容器側面形成部によって一対の側面部が構成され、上記一対の容器正面形成部によって正面部が構成されることで、直方体状の梱包容器として好適に用いられる。このように、当該陳列兼梱包容器用シートは、直方体状の箱型に組立てられることで商品を梱包する梱包容器として用いられ、さらに開封後には上記陳列棚が表面に配置されることで、商品陳列ケースとして好適に用いることができる。当該陳列兼梱包容器用シートは、上述のように、陳列棚構成領域が商品梱包領域と別個に設けられているので、仮に商品梱包領域に傷や汚れ等が付いた場合であっても、商品陳列ケースとして用いる際には、これらの傷や汚れが顧客等から視認されるのを防止することができる。
【００１１】
上記陳列棚構成領域が、陳列棚組立状態で上記棚底面形成部の内側に重設されるよう上記一対の棚側面形成部の前端から前側に延出する一対の延出部と、陳列棚組立状態で上記一対の棚側面形成部と対向する位置に折り曲げられるよう上記一対の延出部の前端から前側に延出する一対の仕切部とを有するとよい。これにより、陳列棚に仕切部によって区切られる複数の区画を設け、商品を各区画に好適に収容することができる。
【００１２】
上記商品梱包領域が、梱包容器組立状態で上記一対の容器側面形成部と対向する位置に折り曲げられるよう上記一対の容器正面形成部の後端の内側部分から後側に延出する一対の支持部を有し、上記一対の支持部の前後方向長さが、上記棚底面形成部、容器天面形成部及び一対の容器側面形成部の前後方向長さと略等しく、上記一対の容器正面形成部の上記支持部が延出されていない外側部分の左右方向長さが、上記棚正面形成部の前後方向長さ以上であるとよい。これにより、上記一対の支持部を一対の容器正面形成部と略直角になるように内側に折曲げ、これら一対の支持部を背面パネル又は背面パネルに重設される部材に当接することで、梱包容器の上下方向の強度を向上することができる。なお、「梱包容器の上下方向」とは、梱包容器において背面パネルを下壁、正面部を上壁とした場合の上下方向をいう。
【００１３】
陳列時に商品の背面側に位置する内装領域をさらに備え、上記内装領域が、梱包容器組立状態で上記容器天面形成部の内側に折り曲げられるよう上記容器天面形成部の後端側から後側に延出する折込み部を有し、この折込み部が、両側端から内側に向けて形成される一対の凹溝を有し、この一対の凹溝が、底方向に向かって後側から前側に傾斜した傾斜部を有するとよい。これにより、一対の凹溝に紐等を係止することで、この紐等によって商品陳列ケースを吊り下げて用いることができる。また、かかる構成によれば、上記折込み部は梱包容器の外面には露出されないため、梱包容器の外面を好適に保つとともに、折込み部に傷や汚れが付くのを防止し、かつ一対の凹溝が破損等するのを防止することができる。
【００１４】
また、上記課題を解決するためになされた本考案にかかる陳列兼梱包容器は、上記構成を有する陳列兼梱包容器用シートを組立てて形成される。
【００１５】
当該陳列兼梱包容器は、当該陳列兼梱包容器用シートの陳列棚構成領域が、陳列棚の側面部を構成する一対の棚側面形成部と、陳列棚の底面部を構成する棚底面形成部と、陳列棚の正面部を構成する棚正面形成部とを有しており、棚正面形成部の前端から前側に延出する折返し部を棚正面形成部の背面側に折り返し、上記一対の棚側面形成部から外側に延出する一対の先端部を挟持することによって陳列棚が構成される。また、当該陳列兼梱包容器は、当該陳列兼梱包容器用シートが、略方形の背面パネルと、組立時に商品を梱包する商品梱包領域とを有し、この商品梱包領域が、容器天面形成部と、一対の容器側面形成部と、一対の容器正面形成部とを有するので、上記容器天面形成部によって天面部が構成され、上記一対の容器側面形成部によって一対の側面部が構成され、上記一対の容器正面形成部によって正面部が構成されることで、直方体状の梱包容器として構成される。このように、当該陳列兼梱包容器は、直方体状の箱型に組立てられることで商品を梱包する梱包容器として用いられ、さらに開封後には上記陳列棚が表面に配置されることで、商品陳列ケースとして好適に用いられる。当該陳列兼梱包容器は、当該陳列兼梱包容器用シートの陳列棚構成領域が商品梱包領域と別個に設けられているので、仮に商品梱包領域に傷や汚れ等が付いた場合であっても、商品陳列ケースとして用いる際には、これらの傷や汚れが顧客等から視認されるのを防止することができる。
【考案の効果】
【００１６】
以上説明したように、本考案の陳列兼梱包容器用シート及び陳列兼梱包容器は、商品を梱包する梱包容器として用いられるとともに、開封後には商品陳列用の陳列棚を有する商品陳列ケースとして好適に用いることができる。
【図面の簡単な説明】
【００１７】
【図１】本考案の第一実施形態に係る陳列兼梱包容器を示す模式図であって、（ａ）は梱包容器として組立てられた状態を示す斜視図、（ｂ）は商品陳列ケースとして組立てられた状態を示す斜視図である。
【図２】図１の陳列兼梱包容器を構成する陳列兼梱包容器用シートを示す模式的展開図である。
【図３】図１の陳列兼梱包容器の陳列棚を示す模式的拡大図であって、（ａ）、（ｂ）及び（ｃ）は組立工程を示す平面断面図、（ｄ）はＡ−Ａ線方向から見た延出部及び仕切部の嵌合構造の説明図である。
【図４】図１（ａ）の梱包容器の組立工程を示す模式的側面図である。
【図５】図１（ｂ）の商品陳列ケースの組立工程を示す模式的部分拡大図である。
【考案を実施するための形態】
【００１８】
以下、適宜図面を参照しつつ、本考案の実施の形態を詳説する。
【００１９】
［第一実施形態］
＜陳列兼梱包容器＞
図１の陳列兼梱包容器（梱包容器１及び商品陳列ケース１１）は、陳列兼梱包容器用シートから組み立てられる。
【００２０】
梱包容器１は、天面部２と、一対の側面部３と、正面部４と、背面部５と、底面部６とを有し、直方体状の箱型に形成されている。梱包容器１は、Ａ式箱の外観を有する。
【００２１】
商品陳列ケース１１は、陳列棚１２と、背面板１３とを有する。陳列棚１２は、一対の側面部１４と、底面部１５と、正面部１６と、一対の仕切部１７とを有する。陳列棚１２は、一対の仕切部１７によって区画される３つの商品収容領域を有する。背面板１３は、両側端から内側かつ上方に向けて形成される一対の凹溝１８を有する。なお、陳列ケースにおける「上方」とは、底面部１５を底とした場合の高さ方向をいう。
【００２２】
図２の陳列兼梱包容器用シート２１は、一枚のシートからなり、直方体状の箱型に組立てられることで商品を梱包する梱包容器１として用いられるとともに開封後に商品陳列ケース１１として用いられる。
【００２３】
陳列兼梱包容器用シート２１に用いられるシート材としては、陳列兼梱包容器用シート２１から組立てられる梱包容器１及び商品陳列ケース１１の形状を維持できる程度の強度を有し、かつ適度な反発力を有している限り特に限定されず、例えば段ボールシート、厚紙等の紙製シート材、合成樹脂製シート材、紙製シートと合成樹脂シートとの積層シート材等が挙げられる。なかでも、加工性、衝撃吸収性、取扱性、リサイクル性、経済性等の点から紙製のシート材が好ましく、段ボールシートが特に好ましい。
【００２４】
上記段ボールシートとしては、特に限定されないが、波形状に形成された中芯原紙をライナーに貼り合わせたものが好適に用いられ、例えば波形状に形成された中芯原紙を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂を更に貼り合わせた複々両面段ボールシート等が挙げられる。これらの段ボールシートのなかでも、加工性、経済性、耐久性等の点から両面段ボールシートが好ましい。
【００２５】
陳列兼梱包容器用シート２１は、略方形状の背面パネル２２と、陳列時に商品を保持する略有底四角筒状の陳列棚１２を構成する陳列棚構成領域２３と、組立時に商品を梱包する商品梱包領域２４と、陳列時に商品の背面に位置する内装領域２５とを有する。
【００２６】
背面パネル２２は、両側端の後部に内側に向けて形成される一対の凹溝２６を有する。一対の凹溝２６は、背面板１３の一対の凹溝１８を構成する。一対の凹溝２６は、底部分に略円形に穿設された係止孔２７を有する。一対の凹溝２６は、底方向に向かって後側から前側に傾斜した傾斜部２８を有する。本実施形態では、一対の凹溝２６は、係止孔２７と、背面パネル２２の側端及び係止孔２７を連結する傾斜部２８とから形成されている。
【００２７】
背面パネル２２は、両側端側の後部に凹溝２６を含む一対の折返し可能領域２９を有する。一対の折返し可能領域２９は、破断容易線３０によって区画されている。一対の折返し可能領域２９の前後方向長さの下限としては、容器天面形成部４８の前後方向長さの１／２が好ましく、５／８がより好ましく、３／４がさらに好ましい。一方、一対の折返し可能領域２９の前後方向長さの上限としては、容器天面形成部４８の前後方向長さと同一長さが好ましい。一対の折返し可能領域２９は、後述のように、破断容易線３０を切断し、容器天面形成部４８側に折り返されたうえ、一対の係止孔２７に紐等を係止し、この紐等によって当該商品陳列ケース１１を吊り下げるために用いられる。この点、一対の折返し可能領域２９の前後方向長さが上記下限未満の場合、当該商品陳列ケース１１を吊り下げる場合の安定性が低下するおそれがある。逆に、一対の折返し可能領域２９の前後方向長さが上記上限を超える場合、一対の折返し可能領域２９を好適に折り返せないおそれがある。
【００２８】
陳列棚構成領域２３は、背面パネル２２の両側端の前側部分から外側に延出する一対の棚側面形成部３１と、一対の棚側面形成部３１から外側に延出する一対の先端部３２と、背面パネル２２の前端から前側に延出する棚底面形成部３３と、棚底面形成部３３の前端から前側に延出する棚正面形成部３４と、棚正面形成部３４の前端から前側に延出する折返し部３５と、一対の棚側面形成部３１の前端から前側に延出する一対の延出部３６と、一対の延出部３６の前端から前側に延出する一対の仕切部３７とを有する。
【００２９】
一対の棚側面形成部３１は、陳列棚１２の側面部１４を構成する。一対の棚側面形成部３１は、背面パネル２２における一対の折返し可能領域２９よりも前側から延出される。一対の棚側面形成部３１は、略矩形状に形成される。
【００３０】
一対の先端部３２は、一対の棚側面形成部３１の外側端から延出されている。一対の先端部３２の形状としては、後述するように、棚正面形成部３４及び折返し部３５によって挟持可能に形成されている限り特に限定されないが、好適には略矩形状とされる。先端部３２の左右方向長さとしては、延出部３６の前後方向長さ以下が好ましく、特に本実施形態では、延出部３６の前後方向長さと略同一長さとされている。
【００３１】
棚底面形成部３３は、陳列棚１２の底面部１５を構成する。棚底面形成部３３は、略矩形状に形成される。棚底面形成部３３の前後方向長さとしては、棚側面形成部３１の左右方向長さと略同一とされている。また、棚底面形成部３３の左右方向長さとしては、背面パネル２２の左右方向長さと略同一とされている。
【００３２】
棚正面形成部３４は、陳列棚１２の正面部１６を構成する。棚正面形成部３４は、略矩形状に形成される。棚正面形成部３４の前後方向長さとしては、先端部３２の前後方向長さ以上とされ、好ましくは先端部３２の前後方向長さと同一長さとされる。また、棚正面形成部３４の左右方向長さとしては、背面パネル２２の左右方向長さと略同一とされている。
【００３３】
折返し部３５は、陳列棚１２組立時に棚正面形成部３４の背面側に折り返される。折返し部３５は、棚正面形成部３４の背面側に折り返された状態で、棚正面形成部３４とによって一対の先端部３２を挟持する。折返し部３５は、後端に左右方向に形成される一対の折返し容易線３８を有する。また、折返し部３５は、前端から後側に形成される一対のスリット３９を有する。一対のスリット３９は、折返し部３５を左右方向の右側から右領域３５ａ、中央領域３５ｂ及び左領域３５ｃの三領域に三分割するように形成される。右領域３５ａ及び左領域３５ｃは、左右対称に形成される。右領域３５ａ及び左領域３５ｃの前端は、内側に形成される凸部４０と、凸部４０の外側に形成される凹部４１とによって二段状に形成されている。折返し部３５の左右方向長さとしては、背面パネル２２の左右方向長さから一対の棚側面形成部３１の厚みを引いた程度とされている。
【００３４】
前側の折返し容易線３８から凸部４０までの長さとしては、棚正面形成部３４の前後方向長さと略同一とさとされている。また、前側の折返し容易線３８から凹部４１までの長さとしては、棚正面形成部３４の前後方向長さから延出部３６の厚みを引いた長さと略同一とされている。
【００３５】
一対の延出部３６は、陳列棚１２組立状態で棚底面形成部３３の内側に重設される。一対の延出部３６は、略矩形状に形成されている。一対の延出部３６の外端は、後側に形成される凸部４２と、凸部４２の前側に形成される凹部４３とによって二段状に形成されている。延出部３６の内端から凸部４２までの長さとしては、棚底面形成部３３の前後方向長さから先端部３２の厚みを引いた長さと略同一とされている。延出部３６の内端から凹部４３までの長さとしては、棚底面形成部３３の前後方向長さから先端部３２の厚み及び折返し部３５の厚みを引いた長さと略同一とされている。また、凸部４２の幅（前後方向長さ）としては、凹部４１の幅（左右方向長さ）と略同一とされている。さらに、凹部４３は幅（前後方向長さ）としては、凸部４０の幅（左右方向長さ）と略同一とされている。
【００３６】
一対の仕切部３７は、陳列棚１２の一対の仕切部１７を構成する。一対の仕切部３７は、陳列棚１２組立状態において一対の棚側面形成部３１と対向する位置に折り曲げられる。一対の仕切部３７の外端は、後側に形成される凸部４４と、凸部４４の前側に形成される凹部４５とを有する。また、一対の仕切部３７の内端は、前側に形成される凹部４６を有する。一対の仕切部３７の外端は、凸部４４と、凹部４５とによって二段状に形成されている。一対の仕切部３７の内端は、延出部３６の内端から略直線状に延出される後側部４７と、凹部４６とによって二段状に形成されている。
【００３７】
後側部４７から凸部４４までの長さとしては、棚底面形成部３３の前後方向長さと略同一とされている。凹部４５の深さとしては、先端部３２及び折返し部３５の合計厚みと略同一とされている。凹部４６の深さとしては、背面形成部５４の厚みと略同一又はそれ以上とされている。また、凸部４４の幅（前後方向長さ）としては、スリット３９の長さと略同一とされている。
【００３８】
商品梱包領域２４は、背面パネル２２の後端から後側に延出する容器天面形成部４８と、容器天面形成部４８から外側に延出する一対の容器側面形成部４９と、一対の容器側面形成部４９の後端から後側に延出する一対の容器正面形成部５０と、一対の容器正面形成部５０の後端の内側部分から後側に延出する一対の支持部５１と、一対の容器側面形成部４９の前端から前側に延出する一対の容器背面形成部５２とを有する。
【００３９】
容器天面形成部４８、一対の容器側面形成部４９、一対の容器正面形成部５０及び一対の容器背面形成部５２は、各々略矩形状に形成される。容器天面形成部４８は、梱包容器１の天面部２を構成する。容器天面形成部４８の左右方向長さとしては、背面パネル２２の左右方向長さと略同一とされている。一対の容器側面形成部４９は、梱包容器１の一対の側面部３を構成する。一対の容器側面形成部４９の左右方向長さとしては、背面パネル２２の上下方向長さと略同一とされている。容器天面形成部４８及び一対の容器側面形成部４９の上下方向長さとしては、棚底面形成部３３の上下方向長さと略同一とされている。一対の容器正面形成部５０は、梱包容器１の正面部４を構成する。一対の容器正面形成部５０の上下方向長さとしては、背面パネル２２の左右方向長さの略１／２とされている。一対の容器正面形成部５０の左右方向長さとしては、背面パネル２２の上下方向長さと略同一とされている。一対の容器背面形成部５２は、梱包容器１の背面部５を構成する。一対の容器背面形成部５２の上下方向長さとしては、背面パネル２２の左右方向長さの略１／２とされている。一対の容器背面形成部５２の左右方向長さとしては、背面パネル２２の上下方向長さと略同一とされている。また、容器天面形成部４８と一対の容器側面形成部４９との連結部には破断容易線６０が形成されている。
【００４０】
一対の支持部５１は、例えば略矩形状、略台形状、略半円状等に形成され、本実施形態では略矩形状に形成されている。一対の支持部５１は、梱包容器１組立状態で一対の容器側面形成部４９と対向する位置に折り曲げられる。一対の支持部５１の前後方向長さとしては、棚底面形成部３３、容器天面形成部４８及び一対の容器側面形成部４９の前後方向長さと略同一とされている。一対の容器正面形成部５０の支持部５１が延出されていない外側部分の左右方向長さとしては、棚正面形成部３４の前後方向長さ以上とされている。また、一対の支持部５１の内端は、容器正面形成部５０の内端から容器天面形成部４８及び折込み部５３の合計厚み以上外側にずれた位置から延出している。
【００４１】
内装領域２５は、容器天面形成部４８の後端側から後側に延出する折込み部５３と、折込み部５３の後端から後側に延出する背面形成部５４とを有する。内装領域２５は、商品陳列ケース１１組立状態で、背面板１３の正面側を構成する。内装領域２５は、背面板１３の正面構成領域に印刷等によって形成される所定の装飾を有する。
【００４２】
折込み部５３は、略矩形状に形成される。折込み部５３は、左右方向に形成される一対の折返し容易線５５を有する連結部５６を介して容器天面形成部４８と連結されている。折込み部５３は、一対の折返し容易線５５から折り曲げられることによって、梱包容器１組立状態で容器天面形成部４８の内側に折り込まれる。
【００４３】
折込み部５３は、両側端から内側に向けて形成される一対の凹溝５７を有する。一対の凹溝５７は、背面板１３の一対の凹溝１８を構成する。一対の凹溝５７は、底部分に略円形に穿設された係止孔５８を有する。一対の凹溝５７は、底方向に向かって後側から前側に傾斜した傾斜部５９を有する。本実施形態では、一対の凹溝５７は、係止孔５８と、折込み部５３の側端及び係止孔５８を連結する傾斜部５９とから形成されている。また、一対の凹溝５７は、一対の折返し可能領域２９及び折込み部５３が共に容器天面形成部４８側に折り返された状態において、一対の凹溝２６と重なり合うように形成されている。また、連結部５６は、前後方向において一対の凹溝５７の形成部分と重ならない領域に形成されている。
【００４４】
背面形成部５４は、略矩形状に形成される。背面形成部５４は、梱包容器１組立状態で背面パネル２２の内側に重設される。背面形成部５４は、両側端の後部に一対の切欠きが設けられている。背面形成部５４は、これら一対の切欠きが設けられることによって、梱包容器１組立状態において後端側を陳列棚１２内に配置可能に形成されている。
【００４５】
＜陳列棚組立工程＞
図３を参照して、当該陳列兼梱包容器用シート２１から組立てられる陳列棚１２の組立工程について説明する。なお、以下では、陳列棚１２における右側の仕切部１７を組立てる場合について説明するが、左側の仕切部１７についても、同様の手順で組立てられる。
【００４６】
まず、図３（ａ）にあるように、棚側面形成部３１を背面パネル２２の表面側に略垂直に折り曲げる。そして、棚側面形成部３１及び延出部３６の連結部を内側に略垂直に折り曲げたうえ、先端部３２を内側に略垂直に折り曲げる。さらに、棚側面形成部３１、延出部３６及び先端部３２が上述のように折り曲げられた状態で、背面パネル２２を棚底面形成部３３の表面側に略垂直に立ち上げる。
【００４７】
ここで、延出部３６の内端から凸部４２までの長さと、棚底面形成部３３の前後方向長さから先端部３２の厚みを引いた長さとが略同一とされているので、延出部３６の凸部４２と先端部３２とが当接された状態で保持される。また、先端部３２の左右方向長さが、延出部３６の前後方向長さと略同一長さとされており、仕切部３７の後側部４７から凸部４４までの長さが、棚底面形成部３３の前後方向長さと略同一とされているので、先端部３２と仕切部３７とが当接される。さらに、延出部３６の内端から凹部４３までの長さが、棚底面形成部３３の前後方向長さから先端部３２の厚み及び折返し部３５の厚みを引いた長さと略同一とされているので、先端部３２と凹部４３との間には折返し部３５の厚みと同程度の幅を有する空間が形成される。
【００４８】
次に、図３（ｂ）にあるように、棚正面形成部３４を棚底面形成部３３から内側に略垂直に折り曲げ、さらに折返し部３５を一対の折返し容易線３８によって背面側に折り返す。ここで、前側の折返し容易線３８から凸部４０までの長さが、棚正面形成部３４の前後方向長さと略同一とさとされ、凹部４３の幅が、凸部４０の幅と略同一とされているので、図４（ｄ）に示すように、先端部３２と凹部４３との間に形成された空間に凸部４０が嵌合される。
【００４９】
続いて、図３（ｃ）にあるように、仕切部３７を内側に略垂直に折り曲げる。ここで、凸部４４の幅が、スリット３９の長さと略同一とされ、凹部４５の深さが、先端部３２及び折返し部３５の合計厚みと略同一とされているので、図３（ｄ）にあるように、スリット３９と凸部４４とが嵌合され、仕切部３７によって区画される複数の商品収容領域を有する陳列棚１２が構成される。陳列棚１２は、このように各部が嵌合されることで形成されるため、商品収容領域内の商品の収容状況にかかわらず、陳列棚１２の形状が的確に維持される。
【００５０】
＜梱包容器組立工程＞
図４を参照して、当該陳列兼梱包容器用シート２１から組立てられる梱包容器１の組立工程について説明する。
【００５１】
まず、図４（ａ）にあるように、陳列棚１２組立状態において、容器天面形成部４８を背面パネル２２の内側に略垂直に折り曲げる。続いて、折込み部４３を内側に折返して容器天面形成部４８の内面に重ね合わせるとともに、背面形成部５４を谷折りに折り曲げて背面パネル２２の内側に重ね合わせる。次に、一対の容器側面形成部４９を容器天面形成部４８の内側に略垂直に折り曲げる。なお、背面形成部５４の後端は、一対の仕切部３７の一対の凹部４６と背面パネル２２との間に形成された空間に係止される。
【００５２】
続いて、図４（ｂ）にあるように、一対の容器正面形成部５０を内側に折り曲げて突き合わせるとともに、一対の支持部５１の後端と背面形成部５４の内面とが当接されるように一対の支持部５１を内側に略垂直に折り曲げる。さらに、一対の容器背面形成部５２を背面パネル２２の背面側に略垂直に折り曲げて突き合わせる。
【００５３】
このようにして、容器天面形成部４８によって天面部２が構成され、一対の容器側面形成部４９によって一対の側面部３が構成され、容器正面形成部５０によって正面部４が構成され、一対の容器背面形成部５２によって背面部５が形成され、棚底面形成部３３によって底面部６が構成されてなるＡ式箱の外観を有する梱包容器１が組立てられる。
【００５４】
また、梱包容器１において、一対の支持部５１の前後方向長さ（ｄ）としては、棚底面形成部３３、容器天面形成部４８及び一対の容器側面形成部４９の前後方向長さ（Ｄ）と略同一とされ、詳細には棚底面形成部３３、容器天面形成部４８及び一対の容器側面形成部４９の前後方向長さ（Ｄ）から背面パネル２２及び背面形成部５４の合計厚みを引いた長さと略同一とされる。
【００５５】
さらに、一対の支持部５１の左右方向長さ（ｌ）の陳列棚１２及び折込み部５３間の長さ（Ｌ）に対する長さ比（ｌ／Ｌ）の下限としては、１／２が好ましく、５／８がより好ましく、３／４がさらに好ましい。一方、一対の支持部５１の左右方向長さ（ｌ）の陳列棚１２及び折込み部５３間の長さ（Ｌ）に対する長さ比（ｌ／Ｌ）の上限としては、１が好ましく、９／１０がより好ましい。一対の支持部５１の左右方向長さ（ｌ）の陳列棚１２及び折込み部５３間の長さ（Ｌ）に対する長さ比（ｌ／Ｌ）が上記下限未満の場合、梱包容器１の上下方向の強度を好適に向上できないおそれがある。逆に、一対の支持部５１の左右方向長さ（ｌ）の陳列棚１２及び折込み部５３間の長さ（Ｌ）に対する長さ比（ｌ／Ｌ）が上記上限を超える場合、梱包容器１を組立てるうえでの作業性が低下するおそれがある。
【００５６】
＜商品陳列ケース組立工程＞
図５を参照して、商品陳列ケース１１の組立工程について説明する。なお、商品陳列ケース１１の組立作業は、通常梱包容器１の状態から行われる。それゆえ、以下では、商品陳列ケース１１を組立てるに際して、陳列棚１２は既に組立てられているものとして説明する。
【００５７】
まず、容器天面形成部４８と一対の容器側面形成部４９の連結部に形成される一対の破断容易線６０によって、一対の容器側面形成部４９を切り離す。そして、容器天面形成部４８、折込み部５３及び背面形成部５４の折曲げ状態を解除して、平板状に展開する。
【００５８】
次に、図５（ａ）にあるように、一対の折返し可能領域２９を折り返し、容器天面形成部４８の内面側に重ね合わせる。
【００５９】
続いて、図５（ｂ）にあるように、折込み部５３を容器天面形成部４８の内面側に折返し、折込み部５３及び背面形成部５４を背面パネル２２及び容器天面形成部４８の内面に重ね合わせる。なお、折込み部５３及び背面形成部５４を背面パネル２２及び容器天面形成部４８の内面に重ね合わせた状態において、一対の凹溝５７は、一対の凹溝２６の内面側に重ね合わせられる。また、一対の凹溝２６及び一対の凹溝５７の上方における連結部５６の不存在領域には一対のスリット６１が形成されている。
【００６０】
＜利点＞
当該陳列兼梱包容器用シート２１は、略方形の背面パネル２２と、陳列時に商品を保持する略有底四角筒状の陳列棚１２を構成する陳列棚構成領域２３とを具備し、この陳列棚構成領域２３が、陳列棚１２の側面部１４を構成する一対の棚側面形成部３１と、陳列棚１２の底面部１５を構成する棚底面形成部３３と、陳列棚１２の正面部１６を構成する棚正面形成部３４とを有し、棚正面形成部３４の前端から前側に延出する折返し部３５を棚正面形成部３４の背面側に折り返し、一対の棚側面形成部３１から外側に延出する一対の先端部３２を挟持することによって陳列棚１２を構成することができる。また、当該陳列兼梱包容器用シート２１は、略方形の背面パネル２２と、組立時に商品を梱包する商品梱包領域２４とを有し、商品梱包領域２４が、容器天面形成部４８と、一対の容器側面形成部４９と、一対の容器正面形成部５０とを有するので、容器天面形成部４８によって天面部２が構成され、一対の容器側面形成部４９によって一対の側面部３が構成され、一対の容器正面形成部５０によって正面部４が構成されることで、直方体状の梱包容器１として好適に用いられる。このように、当該陳列兼梱包容器用シート２１は、直方体状の箱型に組立てられることで商品を梱包する梱包容器１として用いられ、さらに開封後には陳列棚１２が表面に配置されることで、商品陳列ケース１１として好適に用いることができる。当該陳列兼梱包容器用シート２１は、上述のように、陳列棚構成領域２３が商品梱包領域２４と別個に設けられているので、仮に商品梱包領域２４に傷や汚れ等が付いた場合であっても、商品陳列ケース１１として用いる際には、これらの傷や汚れが顧客等から視認されるのを防止することができる。
【００６１】
当該陳列兼梱包容器用シート２１は、陳列棚構成領域２３が、陳列棚１２組立状態で棚底面形成部３３の内側に重設されるよう一対の棚側面形成部３１の前端から前側に延出する一対の延出部３６と、陳列棚１２組立状態で一対の棚側面形成部３１と対向する位置に折り曲げられるよう一対の延出部３６の前端から前側に延出する一対の仕切部３７とを有するので、陳列棚１２に仕切部３７によって区切られる複数の区画を設け、商品を各区画に好適に収容することができる。
【００６２】
当該陳列兼梱包容器用シート２１は、商品梱包領域２４が、梱包容器１組立状態で一対の容器側面形成部４９と対向する位置に折り曲げられるよう一対の容器正面形成部５０の後端の内側部分から後側に延出する一対の支持部５１を有し、一対の支持部５１の前後方向長さが、棚底面形成部３３、容器天面形成部４８及び一対の容器側面形成部４９の前後方向長さと略等しく、一対の容器正面形成部５０の支持部５１が延出されていない外側部分の左右方向長さが、棚正面形成部３４の前後方向長さ以上とされているので、一対の支持部５１を一対の容器正面形成部５０と略直角になるように内側に折曲げ、これら一対の支持部５１を背面パネル２２又は背面パネル２２に重設される部材に当接させることで、梱包容器１の上下方向の強度を向上することができる。
【００６３】
当該陳列兼梱包容器用シート２１は、陳列時に商品の背面側に位置する内装領域２５をさらに備え、内装領域２５が、梱包容器１組立状態で容器天面形成部４８の内側に折り曲げられるよう容器天面形成部４８の後端側から後側に延出する折込み部５３を有し、折込み部５３が、両側端から内側に向けて形成される一対の凹溝５７を有し、一対の凹溝５７が、底方向に向かって後側から前側に傾斜した傾斜部５９を有するので、一対の凹溝５７に紐等を係止することで、この紐等によって商品陳列ケース１１を吊り下げて用いることができる。また、かかる構成によれば、折込み部５３は梱包容器１の外面には露出されないため、梱包容器１の外面を好適に保つとともに、折込み部５３に傷や汚れが付くのを防止し、かつ一対の凹溝５７が破損等するのを防止することができる。
【００６４】
また、当該陳列兼梱包容器用シート２１は、背面パネル２２が両側端の後部に凹溝２６を含む一対の折返し可能領域２９を有し、折込み部５３を容器天面形成部４８の内面に重ね合わせた状態において、一対の凹溝５７が一対の凹溝２６の内面側に重設されるので、一対の凹溝２６及び一対の凹溝５７が重ね合わされた状態で紐等を係止することで、この紐等によって商品陳列ケース１１を吊り下げた場合の耐久性を高めることができる。さらに、かかる構成によれば、商品陳列ケース１１を紐等によって吊り下げた場合に商品陳列ケース１１をより安定的に保つことができる。また、当該陳列兼梱包容器用シート２１は、一対の容器背面形成部５２によって梱包容器１の背面部５が構成される場合、背面パネル２２は梱包容器１の外面には露出されないため、一対の凹溝２６が破損等するのを防止することができる。
【００６５】
さらに、当該陳列兼梱包容器用シート２１は、一対の凹溝２６及び一対の凹溝５７の上方に一対のスリット６１が形成されるので、商品陳列ケース１１を紐等によってさらに好適に吊り下げることができる。
【００６６】
当該陳列兼梱包容器用シート２１は、陳列時に商品の背面に位置する内装領域２５を有し、かつこの内装領域２５は梱包容器１組立状態において梱包容器１の外面には露出されないので、内装領域２５に傷や汚れが付くのを防止し、商品陳列ケースの見栄えを向上することができる。
【００６７】
当該陳列兼梱包容器用シート２１を組立てて形成される当該陳列兼梱包容器は、当該陳列兼梱包容器用シート２１の陳列棚構成領域２３が、陳列棚１２の側面部１４を構成する一対の棚側面形成部３１と、陳列棚１２の底面部１５を構成する棚底面形成部３３と、陳列棚１２の正面部１６を構成する棚正面形成部３４とを有しており、棚正面形成部３４の前端から前側に延出する折返し部３５を棚正面形成部３４の背面側に折り返し、一対の棚側面形成部３１から外側に延出する一対の先端部３２を挟持することによって陳列棚１２が構成される。また、当該陳列兼梱包容器用シート２１を組立てて形成される当該陳列兼梱包容器は、当該陳列兼梱包容器用シート２１が、略方形の背面パネル２２と、組立時に商品を梱包する商品梱包領域２４とを有し、商品梱包領域２４が、容器天面形成部４８と、一対の容器側面形成部４９と、一対の容器正面形成部５０とを有するので、容器天面形成部４８によって天面部２が構成され、一対の容器側面形成部４９によって一対の側面部３が構成され、一対の容器正面形成部５０によって正面部４が構成されることで、直方体状の梱包容器１として構成される。このように、当該陳列兼梱包容器は、直方体状の箱型に組立てられることで商品を梱包する梱包容器１として用いられ、さらに開封後には陳列棚１２が表面に配置されることで、商品陳列ケース１１として好適に用いられる。当該陳列兼梱包容器は、当該陳列兼梱包容器用シート２１の陳列棚構成領域２３が商品梱包領域２４と別個に設けられるので、仮に商品梱包領域２４に傷や汚れ等が付いた場合であっても、商品陳列ケース１１として用いる際には、これらの傷や汚れが顧客等から視認されるのを防止することができる。
【００６８】
［その他の実施形態］
なお、本考案の陳列兼梱包容器用シート及び陳列兼梱包容器は、上記態様の他、種々の変更、改良を施した態様で実施することができる。例えば、当該陳列兼梱包容器用シートは、必ずしも一対の容器背面形成部を有する必要はない。当該陳列兼梱包容器用シートは、一対の容器背面形成部を有しない場合であっても、背面パネルによって梱包容器の背面部を構成することができる。また、当該陳列兼梱包容器用シートは、背面パネル及び／又は折込み部が一対の凹溝を有していなくともよい。当該陳列兼梱包容器用シートは、背面パネル又は折込み部のいずれか一方が一対の凹溝を有していることによって、一対の凹溝に紐等を係止することで、この紐等によって商品陳列ケースを吊り下げて用いることができる。また、当該陳列兼梱包容器用シートは、背面パネル及び折込み部がいずれも一対の凹溝を有していない場合でも、例えば商品陳列ケースの底面部を設置面として所定の置き場に好適に載置することができる。
【００６９】
当該陳列兼梱包容器用シートは、必ずしも一対の延出部及び一対の仕切部を有していなくともよい。当該陳列兼梱包容器用シートは、一対の延出部及び一対の仕切部を有していない場合でも、陳列棚内に商品を収容することができるので、商品陳列ケースとして好適に用いることができる。また、当該陳列兼梱包容器用シートは、一対の延出部及び一対の仕切部を有する場合であっても、陳列棚組立状態において必ずしも折返し部等と嵌合される必要はない。当該陳列兼梱包容器用シートは、一対の延出部が陳列棚の底面部内側に配設され、一対の仕切部が一対の側面部と対向するように折曲げ可能に構成されている限り、陳列棚に一対の仕切部によって区画される商品収容領域を形成することができる。
【００７０】
当該陳列兼梱包容器用シートは、必ずしも一対の支持部を有していなくともよい。当該陳列兼梱包容器用シートは、一対の支持部を有していない場合でも、一対の容器正面形成部を突き合わせることによって梱包容器の正面部を構成することができる。当該陳列兼梱包容器用シートは、必ずしも、内装領域を有する必要はない。また、当該陳列兼梱包容器用シートは、内装領域を有する場合であっても、必ずしも折込み部及び背面形成部を共に有する必要はない。当該陳列兼梱包容器用シートは、内装領域を有しない場合であっても、背面パネル及び容器天面形成部を商品陳列ケースの背面板として用いることができる。さらに、当該陳列兼梱包容器用シートは、内装領域を有する場合であっても、容器天面形成部と折込み部とが連結部を介して連結される必要はなく、容器天面形成部の後端から折込み部が直接延出してもよい。また、この場合、例えば折込み部が、一対の凹溝の前側に位置する領域に一対のスリットを有していてもよい。
【産業上の利用可能性】
【００７１】
以上のように、本考案の陳列兼梱包容器用シート及び陳列兼梱包容器は、商品を梱包する梱包容器として用いられるとともに、開封後には商品陳列用の陳列棚を有する商品陳列ケースとして用いられる段ボール容器に好適である。
【符号の説明】
【００７２】
１  梱包容器
２  天面部
３  側面部
４  正面部
５  背面部
６  底面部
１１  商品陳列ケース
１２  陳列棚
１３  背面板
１４  側面部
１５  底面部
１６  正面部
１７  仕切部
１８  凹溝
２１  陳列兼梱包容器用シート
２２  背面パネル
２３  陳列棚構成領域
２４  商品梱包領域
２５  内装領域
２６  凹溝
２７  係止孔
２８  傾斜部
２９  折返し可能領域
３０  破断容易線
３１  棚側面形成部
３２  先端部
３３  棚底面形成部
３４  棚正面形成部
３５  折返し部
３６  延出部
３７  仕切部
３８  折返し容易線
３９  スリット
４０  凸部
４１  凹部
４２  凸部
４３  凹部
４４  凸部
４５  凹部
４６  凹部
４７  後側部
４８  容器天面形成部
４９  容器側面形成部
５０  容器正面形成部
５１  支持部
５２  容器背面形成部
５３  折込み部
５４  背面形成部
５５  折返し容易線
５６  連結部
５７  凹溝
５８  係止孔
５９  傾斜部
６０  破断容易線
６１  スリット
【図１】
0003189184.tif 000003
【図２】
0003189184.tif 000004
【図３】
0003189184.tif 000005
【図４】
0003189184.tif 000006
【図５】
0003189184.tif 000007